(57)【要約】【課題】フォーカシング方向への駆動の際に大きな駆動力を発生させることのできる光ヘッド装置を提供すること。【解決手段】光ヘッド装置１の対物レンズ駆動装置１０において、２つの対物レンズ２ａ、２ｂをレンズホルダ６上にタンジェンシャル方向Ｔaに並べて配置し、レンズホルダ６のトラッキング方向Ｔrの両側を利用して一対のフォーカシング駆動機構７を構成する。その際、一対のフォーカシング駆動機構７の各々において、１つのフォーカシング駆動マグネット７１に対してトラッキング方向Ｔrの両側にフォーカシング駆動コイル７３を対向配置させる。また、フォーカシング駆動マグネット７１およびフォーカシング駆動コイル７３は、ワイヤ９の延在方向で２つの対物レンズ２ａ、２ｂに跨るように配置する。【選択図】図３
2010020861.tif 000002
【特許請求の範囲】
【請求項１】
対物レンズを保持したレンズホルダと、フォーカシング方向およびトラッキング方向の双方に対して直交する方向に延在して前記レンズホルダのトラッキング方向の両側に連結された複数本のワイヤと、該ワイヤを介して前記レンズホルダを支持する固定側部材と、を有する光ヘッド装置において、
前記対物レンズに対してトラッキング方向の両側には、前記固定側部材の側でフォーカシング方向に分極着磁されたフォーカシング駆動マグネット、および前記レンズホルダの側で前記フォーカシング駆動マグネットに対向配置されたフォーカシング駆動コイルを備えた一対のフォーカシング駆動機構を備え、
前記一対のフォーカシング駆動機構の各々では、前記フォーカシング駆動マグネットをトラッキング方向の両側で挟む位置に前記フォーカシング駆動コイルが配置されていることを特徴とする光ヘッド装置。
【請求項２】
前記レンズホルダの上面部には前記対物レンズが前記ワイヤの延在方向に２つ配置され、
前記一対のフォーカシング駆動機構の各々において、前記フォーカシング駆動マグネットおよび前記フォーカシング駆動コイルは、トラッキング方向で前記対物レンズと前記ワイヤの前記レンズホルダへの連結位置との間に位置していることを特徴とする請求項１に記載の光ヘッド装置。
【請求項３】
前記一対のフォーカシング駆動機構の各々において、前記フォーカシング駆動マグネットおよび前記フォーカシング駆動コイルは、前記ワイヤの延在方向で前記２つの対物レンズに跨るように配置されていることを特徴とする請求項２に記載の光ヘッド装置。
【請求項４】
前記フォーカシング駆動機構に対して前記ワイヤの延在方向で隣接する位置に、トラッキング駆動マグネット、およびトラッキング駆動コイルを備えたトラッキング駆動機構が配置されていることを特徴とする請求項１乃至３の何れか一項に記載の光ヘッド装置。
【請求項５】
前記一対のフォーカシング駆動機構での差動により、前記ワイヤの延在方向と平行な軸線周りに前記レンズホルダを傾かせるチルト駆動が行なわれることを特徴とする請求項１乃至４の何れか一項に記載の光ヘッド装置。
【発明の詳細な説明】
【技術分野】
【０００１】
本発明は、ＣＤ（Compact Versatile Disc）、ＤＶＤ（Digital Versatile Disc）、ブルーレイディスク（以下、ＢＤという）などの光記録ディスクの記録、再生等に用いられる光ヘッド装置に関するものである。
【背景技術】
【０００２】
ＣＤやＤＶＤなどの光記録ディスクの記録、再生等に用いられる光ヘッド装置は、一般に、光源からの出射光を光記録ディスクに収束させる対物レンズを保持したレンズホルダと、フォーカシング方向およびトラッキング方向の双方に対して直交する方向（タンジェンシャル方向）に延在してレンズホルダのトラッキング方向の両側に連結された複数本のワイヤと、これらのワイヤを介してレンズホルダを支持する固定側部材とを備えている。
【０００３】
かかる光ヘッド装置においては、レンズホルダをフォーカシング方向およびトラッキング方向に磁気駆動するために、レンズホルダにおいてワイヤの延在方向に位置する壁面にフォーカシング駆動コイルおよびトラッキング駆動コイルが固定され、かかるフォーカシング駆動コイルおよびトラッキング駆動コイルの各々に対向するようにフォーカシング駆動マグネットおよびトラッキング駆動マグネットが配置された構成が提案されている（特許文献１参照）。
【０００４】
また、フォーカシング駆動コイルおよびトラッキング駆動コイルを兼用させた構成も提案されている（特許文献２参照）。
【特許文献１】特開２００６−２０９８７５号公報
【特許文献２】特開２００１−２１６６６５号公報
【発明の開示】
【発明が解決しようとする課題】
【０００５】
しかしながら、特許文献１に記載の構成では、レンズホルダの大きさの割にはフォーカシング駆動コイルの有効辺が短いため、フォーカシング方向に十分な駆動力を得ることができないという問題点がある。また、特許文献２に記載の構成では、駆動コイルをフォーカシング駆動用とトラッキング駆動用とに用いているため、フォーカシング駆動の際の有効辺が短く、フォーカシング方向に十分な駆動力を得ることができないという問題点がある。
【０００６】
特に、光ヘッド装置では、記録密度の高いディスクに対応する際、対物レンズとして、質量の大きなガラスレンズが使用されることが多いため、その分、フォーカシング方向への駆動の際には大きな駆動力が求められるが、特許文献１、２に記載の構成では、かかる要求に対応するのが困難であるという問題点がある。
【０００７】
以上の問題点に鑑みて、本発明の課題は、フォーカシング方向への駆動の際に大きな駆動力を発生させることのできる光ヘッド装置を提供することにある。
【課題を解決するための手段】
【０００８】
上記課題を解決するために、本発明では、対物レンズを保持したレンズホルダと、フォーカシング方向およびトラッキング方向の双方に対して直交する方向に延在して前記レンズホルダのトラッキング方向の両側に連結された複数本のワイヤと、該ワイヤを介して前記レンズホルダを支持する固定側部材と、を有する光ヘッド装置において、前記対物レンズに対してトラッキング方向の両側には、前記固定側部材の側でフォーカシング方向に分極着磁されたフォーカシング駆動マグネット、および前記レンズホルダの側で前記フォーカシング駆動マグネットに対向配置されたフォーカシング駆動コイルを備えた一対のフォーカシング駆動機構を備え、前記一対のフォーカシング駆動機構の各々では、前記フォーカシング駆動マグネットをトラッキング方向の両側で挟む位置に前記フォーカシング駆動コイルが配置されていることを特徴とする。
【０００９】
本発明では、レンズホルダのトラッキング方向の両側を利用して一対のフォーカシング駆動機構を構成したため、レンズホルダにおいてワイヤが延在している方向にフォーカシング駆動コイルの有効辺が延在するので、長い有効辺を確保することができる。また、一対のフォーカシング駆動機構の各々において、１つのフォーカシング駆動マグネットに対して２つのフォーカシング駆動コイルを配置し、これらのフォーカシング駆動コイルによってフォーカシング駆動マグネットをトラッキング方向の両側で挟んだ構成を採用してある。このため、フォーカシング方向に十分な駆動力を得ることができる。それ故、対物レンズとして、質量の大きなガラスレンズを使用した場合でも、レンズホルダを適正にフォーカシング方向に駆動することができる。
【００１０】
本発明において、前記レンズホルダの上面部には前記対物レンズが前記ワイヤの延在方向に２つ配置され、前記一対のフォーカシング駆動機構の各々において、前記フォーカシング駆動マグネットおよび前記フォーカシング駆動コイルは、トラッキング方向で前記対物レンズと前記ワイヤの前記レンズホルダへの連結位置との間に位置していることが好ましい。レンズホルダの上面部において２つの対物レンズをワイヤの延在方向に２つ配置した場合、対物レンズを含めたレンズホルダの質量が増大するが、その分、レンズホルダにおいてワイヤが延在している方向の寸法が増大する。従って、フォーカシング駆動コイルの有効辺が長くなるので、対物レンズを含めたレンズホルダの質量が増大しても、レンズホルダを適正にフォーカシング方向に駆動することができる。
【００１１】
本発明において、前記一対のフォーカシング駆動機構の各々において、前記フォーカシング駆動マグネットおよび前記フォーカシング駆動コイルは、前記ワイヤの延在方向で前記２つの対物レンズに跨るように配置されていることが好ましい。このような構成にしてフォーカシング駆動コイルの有効辺を長く確保すれば、フォーカシング方向に十分な駆動力を得ることができるので、対物レンズを含めたレンズホルダの質量が増大した場合でも、レンズホルダを適正にフォーカシング方向に駆動することができる。
【００１２】
本発明において、前記フォーカシング駆動機構に対して前記ワイヤの延在方向で隣接する位置に、トラッキング駆動マグネットおよびトラッキング駆動コイルを備えたトラッキング駆動機構が配置されていることが好ましい。すなわち、レンズホルダのトラッキング方向の両側にフォーカシング駆動機構を配置したことにより生じた領域を有効に利用してトラッキング駆動機構を配置する。このため、光ヘッド装置の光源から対物レンズに向かう光路を避けたトラッキング方向の両側にトラッキング駆動機構を容易に配置することができる。
【００１３】
本発明では、前記一対のフォーカシング駆動機構での差動により、前記ワイヤの延在方向と平行な軸線周りに前記レンズホルダを傾かせるチルト駆動が行なわれることが好ましい。このように構成すると、チルト駆動用のコイルやマグネットを省くことができるので、部品点数を削減できる。従って、コストの低減、駆動コイルや対物レンズを含めたレンズホルダの軽量化、フォーカシング駆動コイルの十分な配置スペースの確保のいずれをも達成することができる。
【発明の効果】
【００１４】
本発明では、レンズホルダのトラッキング方向の両側を利用して一対のフォーカシング駆動機構を構成したため、レンズホルダにおいてワイヤが延在している方向にフォーカシング駆動コイルの有効辺が延在するので、長い有効辺を確保することができる。また、一対のフォーカシング駆動機構の各々において、１つのフォーカシング駆動マグネットに対して２つのフォーカシング駆動コイルを配置し、これらのフォーカシング駆動コイルによってフォーカシング駆動マグネットをトラッキング方向の両側で挟んだ構成を採用してある。このため、フォーカシング方向に十分な駆動力を得ることができる。それ故、対物レンズとして、質量の大きなガラスレンズを使用した場合でも、レンズホルダを適正にフォーカシング方向に駆動することができる。特にレンズホルダの上面部において２つの対物レンズをワイヤの延在方向に２つ配置した場合、対物レンズを含めたレンズホルダの質量が増大するが、その分、レンズホルダにおいてワイヤが延在している方向の寸法が増大する。従って、フォーカシング駆動コイルの有効辺が長くなるので、対物レンズを含めたレンズホルダの質量が増大しても、レンズホルダを適正にフォーカシング方向に駆動することができる。
【発明を実施するための最良の形態】
【００１５】
図面を参照して、本発明を適用した光ヘッド装置の一例を説明する。なお、以下の説明で用いる図面では、フォーカシング方向を上下方向とし、トラッキング方向を左右方向として表してある。このため、以下の説明において、部材の配置などを説明する際、フォーカシング方向を上下方向として説明し、トラッキング方向を左右方向として説明することもある。また、以下の説明では、フォーカシング方向およびトラッキング方向の双方に直交する方向にワイヤが延在しており、かかるワイヤの延在方向を前後方向あるいはタンジェンシャル方向と説明することもある。
【００１６】
（全体構成）
図１、図２および図３は各々、本発明を適用した光ヘッド装置の要部（対物レンズ駆動装置）の説明図、この光ヘッド装置のヨーク（固定側部材）側の説明図、およびレンズホルダ側の説明図である。なお、図１（ａ）、（ｂ）、（ｃ）、（ｄ）、（ｅ）、（ｆ）は各々、本発明を適用した光ヘッド装置のレンズ駆動装置を後側（ワイヤの基端側）の斜め上方からみた斜視図、前側（ワイヤの先端側）の斜め上方からみた斜視図、平面図、左側面図、正面図および背面図である。図２（ａ）、（ｂ）、（ｃ）、（ｄ）、（ｅ）、（ｆ）は各々、本発明を適用した光ヘッド装置のヨーク側を後側の斜め上方からみた斜視図、前側の斜め上方からみた斜視図、平面図、左側面図、正面図および背面図である。図３（ａ）、（ｂ）、（ｃ）、（ｄ）、（ｅ）、（ｆ）は各々、本発明を適用した光ヘッド装置のレンズホルダ側を後側の斜め上方からみた斜視図、前側の斜め上方からみた斜視図、平面図、左側面図、正面図および背面図である。
【００１７】
図１に示す対物レンズ駆動装置１０は、光ヘッド装置１においてＣＤ、ＤＶＤ、ＢＤなどの光記録ディスクに対する情報記録、情報再生を行うための対物レンズ２（対物レンズ２ａ、２ｂ）をフォーカシング方向Ｆo（上下方向）、トラッキング方向Ｔr（左右方向）およびチルト方向Ｔiに駆動するための装置であり、図示を省略する光源や光学系を介して出射されたレーザ光が立ち上げミラーによって対物レンズ２に導かれる。
【００１８】
対物レンズ駆動装置１０において、対物レンズ２はレンズホルダ６に保持されており、かかるレンズホルダ６をフォーカシング方向Ｆo、トラッキング方向Ｔrおよびチルト方向Ｔiに駆動するために、対物レンズ駆動装置１０は、フォーカシング方向Ｆoおよびトラッキング方向Ｔrの双方に対して直交する方向（タンジェンシャル方向Ｔa）に延在してレンズホルダ６のトラッキング方向Ｔrの両側に連結された複数本のワイヤ９と、これらのワイヤ９を介してレンズホルダ６を支持する固定側部材３とを有している。また、レンズホルダ６と固定側部材３との間には後述する磁気駆動機構が構成されている。
【００１９】
本形態において、ワイヤ９は、左右両側で上下３段に計６本用いられており、６本のワイヤ９のうち、４本のワイヤ９は各々、後述するフォーカシング駆動コイル７３およびトラッキング駆動コイル８３への給電ワイヤとして用いられている。また、本形態では、フォーカシング駆動コイル７３がチルト駆動コイルとしても用いられているため、６本のワイヤ９のうち、２本はチルト駆動信号の給電に用いられている。
【００２０】
かかるワイヤ９の基端側は、固定側部材３のワイヤ支持体５の背面に取り付けたプリント基板５１の配線パターンにハンダ等により各々固定され、ワイヤ９の先端側は、レンズホルダ６の左右両側で張り出したワイヤ支持板部４９の各穴を貫通して、レンズホルダ６の左右両側に固着されている中継基板９５にハンダにより固定されている。
【００２１】
本形態の対物レンズ駆動装置１０は、いわゆるレンズセンタータイプのものであり、対物レンズ２は、レンズホルダ６の上面部６１の中央に形成された円環状のレンズ保持部に保持されている。但し、本形態では、レンズホルダ６の上面部６１には、対物レンズ２として、ワイヤ９の延在方向に２つの対物レンズ２ａ、２ｂが並べて保持されており、２つの対物レンズ２ａ、２ｂのうち、前側（ワイヤ９の先端側が位置する部分）に配置された対物レンズ２ａは、ＣＤおよびＤＶＤ用のプラスチックレンズであり、後側（ワイヤ９の先端側が位置する部分）に配置された対物レンズ２ｂは、ＢＤ用のガラスレンズである。従って、本形態の光ヘッド装置１では、光源部からは、ＣＤに対応する波長７９０ｎｍ帯域のレーザ光と、ＤＶＤに対応する波長６５０ｎｍ帯域のレーザ光と、ＢＤに対応する波長４０５ｎｍ帯域のレーザ光とを出射される。
【００２２】
このような２つの対物レンズ２ａ、２ｂを備えた光ヘッド装置１でも、レンズホルダ６までの光路は、２つの対物レンズ２ａ、２ｂにおいて共通であり、レンズホルダ６の前側からレーザ光が入射する。このため、前側の対物レンズ２ａ、２ｂにレーザ光を導く立ち上げミラーはハーフミラー２６であり、その後側で、対物レンズ２ａ、２ｂにレーザ光を導く立ち上げミラー（図示せず）は全反射ミラーである。
【００２３】
（固定側部材３の詳細構成）
図２に示すように、固定側部材３は、ワイヤ９の基端側を保持するワイヤ支持体５と、磁性板からなるヨーク４とを備えており、ワイヤ支持体５の内部にはワイヤ９の振動を減衰させるためのゲルポットなどの減衰部材を備えている。
【００２４】
ヨーク４は、磁性板を所定形状に折り曲げ加工したもので、トラッキング方向Ｔrの両側で並行する一対の底板部４３と、一対の底板部４３の前端側で垂直に起立して底板部４３の前端側同士を連結する前側垂直板部４５と、一対の底板部４３の後端側で垂直に起立して底板部４３の後端側同士を連結する後側垂直板部４８とを備えており、前側垂直板部４５と後側垂直板部４８とは、ワイヤ９の延在方向で対向している。前側垂直板部４５には、レーザ光の光路を確保するための切り欠き４５１が形成されており、かかる切り欠き４５１は、下半部が矩形に切り欠かれ、上半部は半円形に切り欠かれている。
【００２５】
ヨーク４において、一対の底板部４３の各々には、幅方向（トラッキング方向Ｔr）の略中央位置に、ワイヤ９が延在する方向に延びた開口部４３１が形成されている。かかる２つの開口部４３１には、フォーカシング駆動マグネット７１の下端部が嵌め込まれており、フォーカシング駆動マグネット７１は、トラッキング方向Ｔrで互いに対向するように一対の底板部４３の各々において起立した状態にある。なお、開口部４３１の長手方向の両側には、ヨーク４の底板部４３から突出してフォーカシング駆動マグネット７１の長手方向の両端部に当接する支持突起４３３が形成されている。
【００２６】
フォーカシング駆動マグネット７１は、フォーカシング方向Ｆoで分極着磁されており、本形態では、２つのフォーカシング駆動マグネット７１では、上下で反対に着磁されている。すなわち、２つのフォーカシング駆動マグネット７１のうち、一方のフォーカシング駆動マグネット７１では、上部分がＮ極で下部分がＳ極に着磁されている一方、他方のフォーカシング駆動マグネット７１では、上部分がＳ極で下部分がＮ極に着磁されている。また、２つのフォーカシング駆動マグネット７１はいずれも、ヨーク４との位置関係を考慮して、後述するフォーカシング駆動コイル７３の上下の有効辺に磁界が同等に鎖交するように、着磁境界線がフォーカシング方向Ｆoの中央位置からやや上方にずれた位置にある。
【００２７】
また、ヨーク４において、前側垂直板部４５の内面（後側垂直板部４８と対向する側の面）には、切り欠き４５１をトラッキング方向Ｔrの両側で挟む位置の各々に縦長のトラッキング駆動マグネット８１が固着されており、これら２つのトラッキング駆動マグネット８１は、トラッキング方向Ｔrで分極着磁されている。本形態では、２つのトラッキング駆動マグネット８１では、左右で同一方向に着磁されている。すなわち、２つのトラッキング駆動マグネット８１のいずれにおいても、トラッキング方向Ｔrの一方側がＮ極で他方側がＳ極に着磁されている。また、ヨーク４において、後側垂直板部４８の内面（前側垂直板部４５と対向する側の面）の両側には、前側垂直板部４５に配置したトラッキング駆動マグネット８１に対して、ワイヤ９の延在方向で対向するように縦長のトラッキング駆動マグネット８１が固着されており、これら２つのトラッキング駆動マグネット８１も、トラッキング方向Ｔrで分極着磁されている。本形態では、２つのトラッキング駆動マグネット８１では、左右で同一方向に着磁されている。すなわち、２つのトラッキング駆動マグネット８１のいずれにおいても、トラッキング方向Ｔrの一方側がＮ極で他方側がＳ極に着磁されている。
【００２８】
（レンズホルダ６側の構成）
図３に示すように、レンズホルダ６は、全体として中空の直方体形状を備えた樹脂成形品からなり、２つの対物レンズ２ａ、２ｂを保持する板状の上面部６１と、上面部６１の前端側から垂直に下方に折れ曲がった前板部６２と、上面部６１の後端側で垂直に方向に折れ曲がった後板部６３とを備えており、前板部６２と後板部６３とは、ワイヤ９の延在方向で対向している。前板部６２には、レーザ光の光路を確保するための半円形の切り欠き６２１が形成されている。
【００２９】
上面部６１、前板部６２および後板部６３に対してトラッキング方向Ｔrの両側には、上下方向に開口する角筒部６５が形成されており、かかる角筒部６５の前後方向の寸法は、上面部６１の前後方向の寸法よりわずかに短いだけである。このため、角筒部６５の前側の側板部６５３は、前板部６２とともにレンズホルダ６の前面部分を構成している。また、角筒部６５の後側の側板部６５４は、後板部６３とともにレンズホルダ６の後面部分を構成している。
【００３０】
角筒部６５において、トラッキング方向Ｔrの両端に位置する外側の側板部６５２からは、さらにトラッキング方向Ｔrの外側に向けて、３本のワイヤ９が各々貫通する小さな穴が縦に３つ形成されたワイヤ支持板部４９が突出している。また、レンズホルダ６の外側の側板部６５２には、ワイヤ支持板部４９に対して前側で隣接する位置には中継基板９５が固定されている。
【００３１】
このような構成のレンズホルダ６の両側の角筒部６５において、トラッキング方向Ｔrで対向する外側の側板部６５２と内側の側板部６５１には、それらの内面（外側の側板部６５２において内側の側板部６５１と対向する面、および内側の側板部６５１において外側の側板部６５２と対向する面）の各々に、扁平な矩形形状に巻回されたフォーカシング駆動コイル７３が固着されている。このため、レンズホルダ６において、角筒部６５の内側では、２つのフォーカシング駆動コイル７３が各々、トラッキング方向Ｔrに開口部を向けた状態で、トラッキング方向Ｔrにおいて所定の間隔を介して対向している。このようにして、レンズホルダ６には、計４つのフォーカシング駆動コイル７３が接着されている。
【００３２】
ここで、フォーカシング駆動コイル７３は、ワイヤ９の延在方向で２つの対物レンズ２ａ、２ｂに跨るように配置してある。より具体的には、フォーカシング駆動コイル７３の長手方向の寸法は、角筒部６５の長手方向の寸法よりわずかに短いだけである。このため、フォーカシング駆動マグネット７１の前後方向の両端部は、２つの対物レンズ２ａ、２ｂの各中心よりもさらにワイヤ９の延在方向の外側に位置している。
【００３３】
また、レンズホルダ６の両側の角筒部６５において、前側の側板部６５３は、トラッキング方向Ｔrの外側に位置する部分が、段部によってわずかに凹んだ形状になっており、かかる凹み部分には、扁平な矩形形状に巻回されたトラッキング駆動コイル８３が固着されている。また、後側の側板部６５４も、前側の側板部６５３と同様、トラッキング方向Ｔrの外側に位置する部分が、段部によってわずかに凹んだ形状になっており、かかる凹み部分には、扁平な矩形形状に巻回されたトラッキング駆動コイル８３が固着されている。このため、４つのトラッキング駆動コイル８３はいずれも前後方向に開口部を向けている。また、トラッキング駆動コイル８３は、前側の側板部６５３および後側の側板部６５４における段部の高さと等しいため、前側のトラッキング駆動コイル８３は、レンズホルダ６の前板部６２と略同一面上に配置され、後側のトラッキング駆動コイル８３は、レンズホルダ６の後板部６３と略同一面上に配置された状態にある。このようにして、レンズホルダ６には、計４つのトラッキング駆動コイル８３が固着されている。
【００３４】
（磁気駆動機構）
図４は、本発明を適用した光ヘッド装置１の対物レンズ駆動装置１０に構成された磁気駆動機構を抜き出して示す説明図である。
【００３５】
本形態では、図２を参照して説明した固定側部材３に対して、図３を参照して説明したレンズホルダ６を、ワイヤ９を介して搭載すると、図１に示すような対物レンズ駆動装置１０が組み上がる。
【００３６】
その結果、図１および図４に示すように、レンズホルダ６のトラッキング方向Ｔrの両側では、ヨーク４から起立するフォーカシング駆動マグネット７１が、レンズホルダ６に保持されているフォーカシング駆動コイル７３の間に入り込み、フォーカシング駆動機構７が構成される。従って、対物レンズ２ａ、２ｂに対してトラッキング方向Ｔrの両側に一対のフォーカシング駆動機構７が構成され、かかる一対のフォーカシング駆動機構７の各々では、フォーカシング駆動マグネット７１をトラッキング方向Ｔrの両側で挟む位置にフォーカシング駆動コイル７３が配置された構成となる。
【００３７】
また、一対のフォーカシング駆動機構７の各々において、フォーカシング駆動マグネット７１およびフォーカシング駆動コイル７３は、トラッキング方向Ｔrで、対物レンズ２ａ、２ｂと、ワイヤ９のレンズホルダ６への連結位置（ワイヤ支持板部４９や中継基板９５）との間に位置している状態となる。
【００３８】
さらに、一対のフォーカシング駆動機構７の各々において、フォーカシング駆動マグネット７１およびフォーカシング駆動コイル７３は、ワイヤ９の延在方向で２つの対物レンズ２ａ、２ｂに跨るように配置されることになる。すなわち、フォーカシング駆動コイル７３の前後方向の両端部、およびフォーカシング駆動マグネット７１の前後方向の両端部は、２つの対物レンズ２ａ、２ｂの各中心よりもさらにワイヤ９の延在方向の外側に位置している。
【００３９】
一方、レンズホルダ６の前側および後側では、ヨーク４に固着されたトラッキング駆動マグネット８１に対して、レンズホルダ６に保持されているトラッキング駆動コイル８３が対向する状態となり、フォーカシング駆動機構７が構成される。この状態で、フォーカシング駆動機構７に対してワイヤ９の延在方向で隣接する位置にトラッキング駆動機構８が配置された構造となる。
【００４０】
このように構成した対物レンズ駆動装置１０において、フォーカシング駆動コイル７３に通電すると、フォーカシング駆動コイル７３においてワイヤ９が延在している方向に延びた上辺部７３１および下辺部７３３が有効辺として機能し、レンズホルダ６が対物レンズ２ａ、２ｂとともにフォーカシング方向Ｆoに駆動される。
【００４１】
また、トラッキング駆動コイル８３に通電すると、トラッキング駆動コイル８３においてフォーカシング方向Ｆoに延びた左右の側辺部８３２、８３４が有効辺として機能し、レンズホルダ６が対物レンズ２ａ、２ｂとともにトラッキング方向Ｔrに駆動される。
【００４２】
さらに、フォーカシング方向Ｆoへの駆動の際には、レンズホルダ６の左右に同一の推力が加わるようにフォーカシング駆動コイル７３への通電が行なわれるが、レンズホルダ６の左右において逆向きの推力が加わるようにフォーカシング駆動コイル７３に通電すると、あるいは、レンズホルダ６の左右のいずれか一方のみに上下方向の推力を発生するようにフォーカシング駆動コイル７３に通電すると、ワイヤ９の延在方向と平行な軸線周りにレンズホルダ６が傾き、チルト駆動が行なわれる。
【００４３】
（本形態の主な効果）
以上説明したように、本形態では、レンズホルダ６のトラッキング方向Ｔrの両側を利用して一対のフォーカシング駆動機構７を構成したため、レンズホルダ６においてワイヤ９が延在している方向に延在するフォーカシング駆動コイル７３の上辺部７３１および下辺部７３３が有効辺として機能する。このため、フォーカシング駆動コイル７３に長い有効辺を確保することができる。また、一対のフォーカシング駆動機構７の各々において、１つのフォーカシング駆動マグネット７１に対して２つのフォーカシング駆動コイル７３を配置し、これらのフォーカシング駆動コイル７３によってフォーカシング駆動マグネット７１をトラッキング方向Ｔrの両側で挟んだ構成を採用してある。このため、フォーカシング方向Ｆoに十分な駆動力を得ることができる。それ故、対物レンズ２ｂとして、質量の大きなガラスレンズを使用したため、対物レンズ２ａ、２ｂを含むレンズホルダ６の質量が増大した場合でも、レンズホルダ６を適正にフォーカシング方向Ｆoに駆動することができる。
【００４４】
また、レンズホルダ６の上面部において２つの対物レンズ２ａ、２ｂをワイヤ９の延在方向に２つ配置した場合、対物レンズ２ａ、２ｂを含めたレンズホルダ６の質量が増大するが、その分、レンズホルダ６においてワイヤ９が延在している方向の寸法が増大する。従って、レンズホルダ６のトラッキング方向Ｔrの両側を利用して一対のフォーカシング駆動機構７を構成すれば、フォーカシング駆動コイル７３の有効辺が長くなる。また、フォーカシング駆動マグネット７１およびフォーカシング駆動コイル７３がワイヤ９の延在方向で２つの対物レンズ２ａ、２ｂに跨るように配置してあるので、その分、フォーカシング駆動コイル７３の有効辺を長く確保できる。それ故、対物レンズ２ａ、２ｂを含めたレンズホルダ６の質量が増大しても、フォーカシング駆動コイル７３に長い有効辺を確保することができるので、レンズホルダ６を適正にフォーカシング方向Ｆoに駆動することができる。
【００４５】
また、本形態では、レンズホルダ６のトラッキング方向Ｔrの両側にフォーカシング駆動機構７を配置したことにより生じた領域を有効に利用してトラッキング駆動機構８を配置したため、光ヘッド装置１の光源から対物レンズ２ａ、２ｂに向かう光路を避けたトラッキング方向Ｔrの両側にトラッキング駆動機構８を容易に配置することができる。
【００４６】
さらに、一対のフォーカシング駆動機構７での差動により、ワイヤ９の延在方向と平行な軸線周りにレンズホルダ６を傾かせるチルト駆動を行なうため、チルト駆動用のコイルやマグネットを省くことができるので、部品点数を削減できる。従って、コストの低減、駆動コイルや対物レンズ２ａ、２ｂを含めたレンズホルダ６の軽量化、フォーカシング駆動コイル７３の十分な配置スペースの確保のいずれをも達成することができる。
【００４７】
［他の実施の形態］
上記実施の形態では、対物レンズ２ａ、２ｂに対してトラッキング方向Ｔrの両側に一対のフォーカシング駆動機構７を構成するにあたって、レンズホルダ６の左右両側で２つのフォーカシング駆動コイル７３をレンズホルダ６の内側に配置したが、２つのフォーカシング駆動コイル７３のうち、トラッキング方向Ｔrの外側に配置されるフォーカシング駆動コイル７３については、レンズホルダ６の外側に配置してもよい。
【００４８】
上記実施の形態では、トラッキング駆動マグネット８１としてトラッキング方向Ｔrで２極に着磁したものを用いたが、感度的に余裕がある場合には、単極に着磁したものをトラッキング駆動マグネット８１として用い、トラッキング駆動コイル８３の１辺のみを有効辺として用いてもよい。かかる構成を採用すれば、トラッキング駆動マグネット８１の小型化を図ることができる。
【００４９】
上記実施の形態では、レンズホルダ６に対物レンズ２が２つ搭載された例であったが、レンズホルダ６に対物レンズ２が１つ搭載された場合に本発明を適用してもよい。
【図面の簡単な説明】
【００５０】
【図１】本発明を適用した光ヘッド装置の要部（対物レンズ駆動装置）の説明図である。
【図２】本発明を適用した光ヘッド装置のヨーク（固定側部材）側の説明図である。
【図３】本発明を適用した光ヘッド装置のレンズホルダ側の説明図である。
【図４】本発明を適用した光ヘッド装置の対物レンズ駆動装置に構成された磁気駆動機構を抜き出して示す説明図である。
【符号の説明】
【００５１】
１  光ヘッド装置
２、２ａ、２ｂ  対物レンズ
３  固定側部材
４  ヨーク
５  ワイヤ支持体
６  レンズホルダ
７  フォーカシング駆動機構
８  トラッキング駆動機構
９  ワイヤ
１０  対物レンズ駆動装置
６５  レンズホルダの角筒部
７１  フォーカシング駆動マグネット
７３  フォーカシング駆動コイル
８１  トラッキング駆動マグネット
８３  トラッキング駆動コイル
【図１】
2010020861.tif 000003
【図２】
2010020861.tif 000004
【図３】
2010020861.tif 000005
【図４】
2010020861.tif 000006